(57)【特許請求の範囲】
【請求項１】
帯状シートの切断方式を、シェアカッターによる接線切りから、前記シェアカッターの下刃軸と該下刃軸に隣り合うローラとの間でのレザーカッターによる空中切りに切り替えるとき、前記下刃軸を片持ち状態にして該下刃軸に複数の円筒状のローラ部材を取付け、帯状シートの走行経路を、前記下刃軸に取り付けたローラ部材の外周を帯状シートが巻掛けて走行するように変更することを特徴とする帯状シート切断方式切替方法。
【発明の詳細な説明】
【０００１】
【発明の属する技術分野】
本発明は、シェアカッターによる接線切りと、レザーカッターによる空中切りの二つの切断方式を選択して、走行中の帯状シートを長手方向に切断することができる切断装置において、帯状シートの切断方式を、シェアカッターによる接線切りと、レザーカッターによる空中切りとに切り替える方法に関する。
【０００２】
【従来の技術】
一般に、上述のような切断装置はシート分割巻取機等に適用される。そして切断装置が接線切り用のシェアカッターと空中切り用のレザーカッターとを備えるのは、多様な厚みや材質の帯状シートを切断可能にするためである。またシェアカッターと空中切り用のレザーカッターとは、切断装置の占有空間を節約するために隣り合わせに配置される。
【０００３】
図５は接線切り用のシェアカッターと空中切り用のレザーカッターとを備える従来の切断装置の概略側面図であり、シェアカッター１による接線切りでは、空中切り用のレザーカッター２のレザー３が鎖線で示す位置に退避し、帯状シートＳは、案内ローラ４から案内ローラ５へ走行し、鎖線で示した切断位置の上刃６と下刃７との間を、略接線方向に通過して上刃６と下刃７により切断される。レザーカッター２による空中切りでは、上刃６が実線で示す位置に退避し、帯状シートＳはシェアカッター１による接線切りの場合と同様に案内ローラ４から案内ローラ５へ走行し、切断位置についた実線で示すレザー３により、裏受けなしに切断される。
【０００４】
【発明が解決しようとする課題】
ところが、切断方式をシェアカッター１による接線切りからレザーカッター２による空中切りに切り替えたとき、レザー３はシェアカッター１の下刃７と案内ローラ５の間にあるが、シェアカッター１の下刃７は、各切断位置に対応するよう帯状シート幅方向において部分的に配置されているので、帯状シートを確実に裏受けすることができず、かつ案内ローラ４と案内ローラ５との間隔は大きいので、両者の間で帯状シートＳが切断中にバタツキを生じて切断不良を生じ易い。特に、薄くて容易に伸びるプラスチックフィルム等の帯状シートでは、この傾向が強い。
【０００５】
そこで、シェアカッター１による接線切りから、レザーカッター２による空中切りに切断方式を切り替えるとき、レザーカッター２による空中切りでの帯状シートのバタツキを防ぐために、下刃７を下刃軸８ごと取り外し、代わりに別の案内ローラを装着して帯状シートを裏受けすることが提案される。しかし、下刃軸８を別の案内ローラと交換するには、下刃軸８及び案内ローラは重量が大きく、しかも下刃軸８は案内ローラ４や案内ローラ５の間にあるため作業空間が小さく、更に被駆動であるため伝動装置と連結してあるので、下刃軸８と別の案内ローラの交換作業に非常に手間がかかり、この交換作業がシート分割巻取機等の稼働率を著しく低下させる原因になる。
【０００６】
本発明は、上述のような問題点に鑑み、シェアカッターによる接線切りとレザーカッターによる空中切りとの切替を短時間で簡単に行えるようにし、かつレザーカッターによる空中切りにおいて帯状シートを良好に切断できるようにすることを課題としている。
【０００７】
【課題を解決するための手段】
上記課題を解決するために、本発明は、帯状シートの切断方式を、シェアカッターによる接線切りから、前記シェアカッターの下刃軸と該下刃軸に隣り合うローラとの間でのレザーカッターによる空中切りに切り替えるとき、前記下刃軸を片持ち状態にして該下刃軸に複数の円筒状のローラ部材を取付け、帯状シートの走行経路を、前記下刃軸に取り付けたローラ部材の外周を帯状シートが巻掛けて走行するように変更することを特徴とする。
【０００８】
本発明では、下刃軸に複数の円筒状のローラ部材を取付けることにより案内ローラが構成され、下刃軸と円筒状のローラ部材とは走行中の帯状シートを支える働きをし、その円筒状のローラ部材の外周と下刃軸に隣り合うローラの外周とに帯状シートを巻掛けて走行させることにより、レザーで空中切りする帯状シートの支持間隔が小さくなると共に、帯状シートがローラ部材の外周に確実に保持されるようになる。それゆえ、レザーカッターで空中切りしているとき、帯状シートのばたつきを防ぐことができ、帯状シートがレザーから逃げにくくなる。したがって帯状シートを確実に切断できるようになる。
【０００９】
【発明の実施の形態】
図１は本発明を実施するための切断装置の概略側面図であるである。シェアカッター１の上刃６は、中心軸１１に固設した一対の腕１２で両端部を回転可能に保持した上刃軸１３に装着してある。そして腕１２の傾きを変えるために中心軸１１を所要の回転角度だけ回すことができるようにしてあるので、図１に実線で示す退避位置と鎖線で示す切断位置につくことができる。レザーカッター２のレザー３は、例えば市販のカミソリ刃であり、帯状シートＳの幅方向に平行な支持軸１４で支持した刃物ホルダー１５に固定して取り付けてある。そして刃物ホルダー１５の傾きを変えるために支持軸１４を所要の回転角度だけ回すことができるようにしてあるので、図１に実線で示す切断位置と鎖線で示す退避位置とにつくことができる。
【００１０】
図示の切断装置の場合、レザーカッター１による空中切りだけでなく、レザーカッターによる溝切りもできるようにするために、案内ローラ５を、外周に多数の円周方向の溝をもつ溝付ローラとし、この溝付ローラの溝にレザーの刃先を入れた状態で保持するための図示しない溝切り用の刃物ホルダーを準備している。そして前記溝切り用の刃物ホルダーと空中切り用の刃物ホルダー１５とに共通の取付部１６ａをもつ基部部材１６を、支持軸１４の外周にスライド可能に装着してある。基部部材１６はハンドル付きボルト１７により支持軸１５に所要位置で固定することができ、刃物ホルダー１５は基部部材１６の取付部１６ａにボルト１８により固定する。
【００１１】
図２において、下刃軸８、中心軸１２及び支持軸１４は、第１機枠１９と第２機枠２０により両端を支持し、下刃軸８は、その一端部を第１機枠１９に設けた軸受装置２１に装着して片持ち可能に支持してある。下刃軸８の他の一端は第２機枠２０に固着した軸端支持具２２により支持する。
【００１２】
図３に示すように、第２機枠２０には、下刃７及びその筒状のホルダー７ａの外径より大きい内径の孔２３が下刃軸８の長手方向に設けてあり、下刃軸８の先端部は、下刃軸８に回転自在に取り付けたセンタ２４を有しており、軸端支持具２２は、ボルト２２ａで第２機枠２０に固着したとき、センタ２４をスリーブ２５の先端部で保持する。
【００１３】
上述の切断装置において、帯状シートＳを接線切り用のシェアカッター１で切断するには、下刃軸８に下刃７を装着し、帯状シートＳを案内ローラ２６から図１に鎖線で示すように案内ローラ４に巻掛け、更に下刃７を経て案内ローラ５に巻掛けて走行させると共に、上刃６を鎖線で示すように切断位置につけて下刃７に噛み合わせ、上刃６と下刃７により切断する。
【００１４】
切断方式をシェアカッター１による接線切りから、レザーカッター２による空中切りに切り替えるには、図２に示す軸端支持具２２を第２機枠２０から取り外して下刃軸８を片持ち状態にし、下刃７を下刃軸８の自由端側から抜き取ることによって取り外し、代わりに、図４に示すように所定長さで円筒状の複数個のローラ部材２７を下刃軸８に取り付ける。なお下刃がローラ部材と同じ外径である場合には、下刃をローラ部材２７と共に下刃軸８に取り付けておいてもよい。
【００１５】
下刃軸８にローラ部材２７を取り付けるには、下刃軸８の自由端側からローラ部材２７を支持軸８の外周に嵌め、全てのローラ部材２７を支持軸８に嵌め終わると位置決めカラー２８を下刃軸８に取付け、位置決めカラー２７が移動しないようにロックナット２９で締め付ける。その後、図２に示すように軸端支持具２２を第２機枠２０に取付けて下刃軸８の自由端側を支持する。
【００１６】
下刃軸８へのローラ部材２７の取付けが終わると、図１において帯状シートＳが案内ローラ２６から、実線で示すようにローラ部材２７の外周を巻掛け、更に案内ローラ５の外周を巻掛けて走行するように帯状シートＳの走行経路を変更し、レザー３を図１に実線で示す切断位置につける。
【００１７】
【発明の効果】
本発明によれば、帯状シートの切断方式をレザーカッターによる空中切りに変えても、シートがばたつくのを防ぐことができるので、帯状シートを良好に切断でき、しかも、切断方式を切り替える際には下刃軸を取り外す必要がなく、下刃軸に対し下刃と円筒状のローラ部材とを取り替えればよいので、余り手間がかからず、短時間で簡単に切断方式をシェアカッターによる接線切からレザーカッターによる空中切りに変更することができる。
【図面の簡単な説明】
【図１】本発明を実施するための切断装置の一例に関する概略側面図である。
【図２】図１に示す切断装置の概略平面図である。
【図３】下刃軸の端部を支持する軸端支持具の断面図である。
【図４】下刃軸にローラ部材を取り付けた状態を説明するための断面図である。
【図５】従来の切断装置に係る概略側面図である。
【符号の説明】
Ｓ  帯状シート
１  シェアカッター
２  レザーカッター
３  レザー
４  案内ローラ
５  案内ローラ
６  上刃
７  下刃
８  下刃軸
２２  軸端支持具
２３  孔
２７  ローラ部材
【図１】
0004038703.tif 000002
【図２】
0004038703.tif 000003
【図３】
0004038703.tif 000004
【図４】
0004038703.tif 000005
【図５】
0004038703.tif 000006